(57)【要約】【課題】  指のサイズに関係なく大人から子供まで使用可能な布揺動トリック手品具を提供すること。【解決手段】  操作者の指に嵌めて固定する指固定用部材２と、該指固定用部材２に一端を固定した揺動アーム３と、該揺動アーム３の他端に設けられた布固定部４と、該布固定部４に取り付けられた布類５とを有し、前記指固定用部材２が長円形、楕円形あるいは略矩形の断面を有するリング状のものであり、さらに、当該指固定用部材２の断面長手方向に加わる押圧力により、当該指固定用部材２が断面長手方向に圧縮すると共に断面幅方向に拡がるように弾性変形する構成となっている。【選択図】  図１
2005080755.tif 000002
【特許請求の範囲】
【請求項１】
操作者の指に嵌めて固定する指固定用部材と、該指固定用部材に一端を固定した揺動アームと、該揺動アームの他端に設けられた布固定部と、該布固定部に取り付けられた布類と、を有し、
前記指固定用部材は、長円形、楕円形あるいは略矩形の断面を有するリング状のものであり、さらに、当該指固定用部材の断面長手方向に加わる押圧力により、当該指固定用部材が断面長手方向に圧縮すると共に断面幅方向に拡がるように弾性変形する
ことを特徴とする布揺動トリック手品具。
【発明の詳細な説明】
【技術分野】
【０００１】
本発明は、ハンカチ等の布類が独りでに揺れ動いているような不可思議さを観覧者に与えることのできる布揺動トリック手品具に関するものである。
【背景技術】
【０００２】
従来、ハンカチ等の布類が、恰も独りでに揺れ動いているような錯覚を観覧者に与える手品に用いる手品具として、図４のような構成のものがある。従来の手品具は、図４のように、操作者の指に嵌めて固定するリング状の指固定用部材と、この指固定用部材に一端を固定した螺旋状の揺動アームと、この揺動アームの他端に設けられた布固定部と、当該布固定部に取り付けられた布類とで構成されている。
【０００３】
また、従来の手品具における指固定用部材は金属製のものである。そして、指固定用部材のサイズよりも操作者の指のサイズが若干大きい場合においても、指固定用部材を指に嵌めることができるよう、この指固定用部材には図４のように隙間が設けられている。
【０００４】
そして、操作者は例えば親指に指固定用部材を嵌め、観覧者から指固定用部材や揺動アームが見えないように前記布類で覆い隠した状態で、指固定用部材を嵌めた指を動かす。すると、指の動きが指固定用部材および揺動アームを介して前記布類に伝わり、前記布類が揺動する。こうして、観覧者には前記布類が恰も独りでに踊るように揺動しているような不可思議さを与えることができる。
【０００５】
尚、上記の従来の手品具は、公然実施されているものであり、本特許出願人は実施されている上記手品具を所有する、あるいは上記手品具を目撃してはいるが、これら従来技術が記載されている先行技術文献については所有していないため、本願発明に関する先行技術文献については開示していない。
【発明の開示】
【発明が解決しようとする課題】
【０００６】
しかしながら、従来のように金属製の指固定用部材の場合、この指固定用部材のサイズと大きく異なるサイズの指に嵌めてしっかりと固定することができないため、例えば大人用の指サイズに設定された指固定用部材を具備する従来手品具を子供が使用することができない、あるいは子供用の指サイズに設定された指固定用部材を具備する従来手品具を大人が使用することができないという不都合が生じることがあった。
【０００７】
そこで本発明の目的は、操作者の指のサイズに依存することなく、大人から子供まで簡単に使用可能な布揺動トリック手品具を提供することにある。
【課題を解決するための手段】
【０００８】
上記目的を達成するために、本発明の布揺動トリック手品具は、操作者の指に嵌めて固定する指固定用部材と、該指固定用部材に一端を固定した揺動アームと、該揺動アームの他端に設けられた布固定部と、該布固定部に取り付けられた布類とを有し、前記指固定用部材が長円形、楕円形あるいは略矩形の断面を有するリング状のものであり、さらに、当該指固定用部材の断面長手方向に加わる押圧力により、当該指固定用部材が断面長手方向に圧縮すると共に断面幅方向に拡がるように弾性変形する構成となっている。
【発明の効果】
【０００９】
本発明の布揺動トリック手品具によれば、リング状の指固定用部材の断面を長円、楕円、あるいは略矩形形状としており、さらに、この指固定用部材を指で押圧することにより弾性変形させることができるような材料を用いて指固定用部材が成形されているため、指固定用部材のサイズよりも大きいサイズの指にも、簡単に嵌めることができるようになる。また、指に嵌めた後、弾性変形していた指固定用部材が元の形状に戻ろうとするため、嵌めた指が指固定用部材に挟み込まれるような状態となり、その結果、指に指固定用部材を確実に固定することができるようになる。そこで、この指固定用部材の幅方向のサイズを子供用サイズに設定すれば、大人の指のサイズにも適用可能となる。また、指固定用部材の幅方向のサイズを子供用サイズに設定することで大人から子供まで使用可能となるので、大人用サイズと子供用サイズの指固定用部材をそれぞれ製作せずとも良いという利点もある。
【発明を実施するための最良の形態】
【００１０】
以下、本発明の布揺動トリック手品具の一実施形態について、図１から図３を参照して説明する。
【００１１】
まず、本実施形態の布揺動トリック手品具１の構成を図１を参照して説明する。本実施形態の布揺動トリック手品具１は、操作者の指に嵌めて固定する指固定用部材２と、この指固定用部材２に一端を固定した揺動アーム３と、この揺動アーム３の他端に設けられた布固定部４と、当該布固定部４に取り付けられた布類５と、を備えている。尚、本実施形態では、揺動アーム３の一部（図１では指固定用部材２の近傍）を螺旋状に成形し、後述の如く指を動かした際の揺動を促進させる揺動促進部３ａを設けた構成としている。
【００１２】
そして、本発明の手品具１における指固定用部材２は、例えば図２のような長円断面を有するリング状になっている。また、この指固定用部材２は、当該指固定用部材２を指で押圧することにより弾性変形するウレタン樹脂等の材料からなり、操作者が当該指固定用部材２の断面長手方向（図２（ａ）の矢印方向に相当）にこの指固定用部材２を指で押圧することで、図２（ｂ）のように指固定用部材２が弾性変形し、断面長手方向に圧縮すると共に断面幅方向に拡がる状態となる。これにより、指固定用部材２のサイズよりも操作者の指のサイズが大きい場合でも、図２（ｂ）のように変形させることで指固定用部材２を大きいサイズの指に嵌めることができるようになる。
【００１３】
また、図２（ｂ）のような状態で指に嵌めた後、操作者による押圧が弛められると、弾性変形していた図２（ｂ）の状態の指固定用部材２は図２（ａ）の状態に戻ろうとするため、嵌めた指が指固定用部材２に挟み込まれるような状態となり、その結果、例えば図３のように、この指固定用部材２を指に確実に固定することができることとなる。
【００１４】
尚、本実施形態では、指固定用部材２の断面形状を長円形としているが、例えば楕円や略矩形の断面形状としても良い。
【００１５】
そして、この指固定用部材２の断面幅方向のサイズ（図２（ａ）の符号Ｌのサイズ）を子供用サイズに設定すれば、上記のように大人の指のサイズにも適用可能となるので、指のサイズに関係なく大人から子供まで使用可能な手品具１を提供することができるようになる。
【００１６】
そして操作者は、まず、以上のような本発明の布揺動トリック手品具１を、図３のように指固定用部材２を指（本実施形態では親指）に嵌めて固定し、次に、観覧者から指固定用部材２を嵌めた指、揺動促進部３ａおよび揺動アーム３が見えないように前記布類５で覆い隠した状態を保ちながら、指固定用部材２を嵌めた指を動かす。このとき、指固定用部材２を嵌めていない側の手を前記布類５に添える等して、前記指固定用部材２を嵌めた指、揺動促進部３ａおよび揺動アーム３を前記布類５で覆い隠した状態を保つようにすると良い。
【００１７】
すると、この親指の動きが指固定用部材２、揺動促進部３ａおよび揺動アーム３を介して前記布類５に伝わり、前記布類５が揺動することとなる。このとき、観覧者には指固定用部材２を嵌めた指、揺動促進部３ａおよび揺動アーム３が前記布類５で覆い隠されているため、観覧者には恰も前記布類５が独りでに踊るように揺動しているように見えることとなる。こうして操作者は、観覧者に恰も独りでに布が動き出し、踊っているような不可思議さを与えることができる。
【図面の簡単な説明】
【００１８】
【図１】本発明の布揺動トリック手品具を示す図である。
【図２】図１の布揺動トリック手品具の指固定用部材の構成を示す図であり、図２（ａ）は通常時の指固定用部材の断面形状を示す図であり、図２（ｂ）は操作者によって押圧されて弾性変形した状態の指固定用部材の断面形状を示す図である。
【図３】図１の布揺動トリック手品具を指に嵌めた状態を示す図である。
【図４】従来の布揺動トリック手品具を示す図である。
【符号の説明】
【００１９】
１…布揺動トリック手品具、２…指固定用部材、３…揺動アーム、３ａ…揺動促進部、４…布固定部、５…布類。
【図１】
2005080755.tif 000003
【図２】
2005080755.tif 000004
【図３】
2005080755.tif 000005
【図４】
2005080755.tif 000006